(57)【特許請求の範囲】
【請求項１】
ダクトに接続される排気アダプタを備え、天井に設けられる開口部に下方から前記排気アダプタの突出側から斜めに挿入して天井に設置される浴室暖房乾燥機において、
前記浴室暖房乾燥機の側面であって、前記排気アダプタの突出側とは反対側の側面に突出形成された係止部と、
前記開口部に設けられ、前記浴室暖房乾燥機の押し上げ操作により前記係止部を弾性的に乗り越えて該係止部に係合する落下防止金具と、を備え、
前記落下防止金具は、前記開口部中央に向かって斜め上方に傾いた形状であり、
前記係止部が設けられた側面は、前記開口部中央に向かって斜め上方に傾いた斜面であることを特徴とする浴室暖房乾燥機。
【請求項２】
前記落下防止金具は、弾性を有する金属板の基端部を前記開口部に取着し、該金属板の先端部を直角に折り曲げて、前記係止部に係合するストッパ部を備えたことを特徴とする請求項１に記載の浴室暖房乾燥機。
【請求項３】
前記係止部の幅を、前記落下防止金具の幅より大きくしたことを特徴とする請求項１又は２に記載の浴室暖房乾燥機。
【請求項４】
天井に設けられる開口部に下方から斜めに挿入して天井に設置され、ダクトに接続される排気アダプタを備える浴室暖房乾燥機の設置方法であって、
前記浴室暖房乾燥機の側面であって、前記排気アダプタの突出側とは反対側の側面に突出した係止部が設けられ、
前記開口部には、前記係止部に係合する落下防止金具が設けられ、
前記落下防止金具は、前記開口部中央に向かって斜め上方に傾いた形状であり、
前記係止部が設けられた側面は、前記開口部中央に向かって斜め上方に傾いた斜面であり、
前記浴室暖房乾燥機を、前記排気アダプタ側から前記開口部に挿入した後に、前記浴室乾暖房乾燥機の前記係止部が設けられている側を押し上げることにより、前記落下防止金具
を、前記係止部を弾性的に乗り越えさせて該係止部に係合させる浴室暖房乾燥機の設置方法。
【発明の詳細な説明】
【技術分野】
【０００１】
本発明は、浴室の天井に設置され、浴室の換気・乾燥・暖房を行う浴室暖房乾燥機およびその設置方法に関するものである。
【背景技術】
【０００２】
従来、浴室の天井には、浴室内の暖房や換気を行う浴室暖房乾燥機が設置されている（たとえば、特許文献１参照）。
【０００３】
このような浴室暖房乾燥機を天井に設置するには、天井に設けられた開口部から浴室暖房乾燥機の本体部分を天井内に押し上げ、その状態で本体部分の下縁に設けられたフランジ部を天井面に固定している。
【先行技術文献】
【特許文献】
【０００４】
【特許文献１】特開２０１４−１８０３９４号公報
【発明の概要】
【発明が解決しようとする課題】
【０００５】
上記のような浴室暖房乾燥機の設置工程では、作業者が浴室嵌挿暖房機の本体部分を持ち上げながら、フランジ部を天井面にネジで固定する必要があるため、その作業が煩雑であり、一人の作業者で行うことは困難である。
【０００６】
本発明は、上記課題を解決するためになされたものであって、その目的は一人の作業者で天井に容易に設置し得る浴室暖房乾燥機を提供することにある。
【課題を解決するための手段】
【０００７】
上記課題を解決する本発明の一態様に係る浴室暖房乾燥機は、ダクトに接続される排気アダプタを備え、天井に設けられる開口部に下方から前記排気アダプタの突出側から斜めに挿入して天井に設置される浴室暖房乾燥機において、前記浴室暖房乾燥機の側面であって、前記排気アダプタの突出側とは反対側の側面に突出形成された係止部と、前記開口部に設けられ、前記浴室暖房乾燥機の押し上げ操作により前記係止部を弾性的に乗り越えて該係止部に係合する落下防止金具と、を備え、前記落下防止金具は、前記開口部中央に向かって斜め上方に傾いた形状であり、前記係止部が設けられた側面は、前記開口部中央に向かって斜め上方に傾いた斜面である。
【発明の効果】
【０００８】
本発明の浴室暖房乾燥機によれば、一人の作業者で天井に容易に設置することができる。
【図面の簡単な説明】
【０００９】
【図１】本発明の実施の形態１の浴室暖房乾燥機の浴室を示す斜視図
【図２】同浴室暖房乾燥機の浴室暖房乾燥機を示す断面図
【図３】同浴室暖房乾燥機の浴室暖房乾燥機と吊り枠を示す斜視図
【図４】同浴室暖房乾燥機の係止部を示す断面図
【図５】同浴室暖房乾燥機の落下防止金具の動作を示す側面図
【図６】同浴室暖房乾燥機の落下防止金具の動作を示す側面図
【発明を実施するための形態】
【００１０】
以下、浴室暖房乾燥機の一実施形態を図面に従って説明する。
【００１１】
図１に示すように、浴室１の天井２には浴槽３の上方位置に浴室暖房乾燥機４が設置されている。
【００１２】
図２に示すように、浴室暖房乾燥機４は、本体ケース５の下面に、浴槽３に向かって露出されるフロントパネル６が取着されている。フロントパネル６の上方において、本体ケース５にはフランジ部７が形成され、そのフランジ部７及びフロントパネル６が天井面から下方へ露出される状態で本体ケース５が天井２内に設置される。
【００１３】
フランジ部７とフロントパネル６との間には、取り込み口８が形成される。浴室暖房乾燥機４は、取り込み口８から取り込んだ空気を、フロントパネル６の吹き出し口９から浴室１内に吹出する。また、浴室暖房乾燥機４は、取り込み口８から取り込んだ空気を、屋外に排出する。なお、取り込み口８から取り込んだ空気の一部を吹き出し口９から吹出し、残りの空気を屋外に排出することも可能である。
【００１４】
吹き出し口９には可動ルーバー１０が回動可能に支持され、吹き出し口９から吹き出される空気の吹き出し方向を調整可能となっている。
【００１５】
本体ケース５内の一側上部にはファンモータ１１が固定され、そのファンモータ１１の回転軸にはファン１２が回転軸と一体回転可能に固定されている。そして、ファン１２の回転に基づいて、浴室１内の空気が本体ケース５内に吸い込まれ、吸い込まれた空気はファン１２の周方向外側に向かって排出される。
【００１６】
ファン１２の側方には、ダンパ１３が配設されている。ダンパ１３は、切替モータ（図示しない）により、図２に実線で示す排気位置と、鎖線で示す循環位置との間で回動される。排気位置において、ダンパ１３は、ファン１２から排出される空気を排気アダプタ１４へと導く。排気アダプタ１４にはダクト１５が接続され、そのダクト１５を介して空気が屋外に排出される。
【００１７】
ダンパ１３が循環位置に回動されると、ファン１２から排出される空気が循環通路１６へ導かれる。循環通路１６には、その循環通路１６の一部を塞ぐようにヒータ１７が配設されている。ヒータ１７は、例えばセラミックヒータである。また、ヒータ１７の下流側に固定グリル１８が配設されている。
【００１８】
そして、ダンパ１３により循環通路１６へ導かれた空気は、ヒータ１７を通過して暖められた空気と、ヒータ１７を通過しない空気とが固定グリル１８を介して吹き出し口９へと導かれ、浴室１内に吹出される。
【００１９】
排気アダプタ１４は、合成樹脂で円筒状に形成されるとともに、その基端部が本体ケース５に固定され、先端側はダクト１５を嵌合可能とするように若干縮径されている。本体
ケース５から突出される排気アダプタ１４の基端部は、本体ケース５の側面に固定されるアダプタカバー１９で覆われている。
【００２０】
図３に示すように、浴室暖房乾燥機４は吊り枠２０を介して天井２に固定される。吊り枠２０は四角枠状に形成され、浴室暖房乾燥機４の天井２への取付けに先立って天井２に固定される。
【００２１】
そして、中央部に形成された開口部２１へ本体ケース５部分を下方から挿入可能となっている。開口部２１は、フランジ部７及びフロントパネル６を除いて、浴室暖房乾燥機４を下方から天井２内に挿入し得る大きさが確保されている。
【００２２】
吊り枠２０の開口部２１の一側には、落下防止金具２２が設けられている。落下防止金具２２はステンレス等の弾性を有する金属板で形成され、その基端部が開口部２１の短辺側の開口縁に取着されている。そして、落下防止金具２２の先端部は、開口部２１の中央に向かって斜め上方に延設されている。
【００２３】
また、落下防止金具２２の先端には、幅方向中央部に突起２３が設けられるとともに、その突起２３の両側には端部を開口部２１の外側に向かってほぼ直角に折り曲げたストッパ部２４が形成されている。
【００２４】
浴室暖房乾燥機４には、排気アダプタ１４の突出側とは反対側の側面に設けられるカバーパネル２５に係止部２６が形成されている。カバーパネル２５は、斜め上方に向かう斜面に形成され、その斜面の前後方向中央部の上縁近傍に係止部２６が形成されている。
【００２５】
係止部２６は、カバーパネル２５をプレス成型することにより形成され、カバーパネル２５から突出する突部２７と、その突部２７の内側で下方に向かって開口する保持孔２８が形成されている。
【００２６】
保持孔２８は、落下防止金具２２のストッパ部２４を挿入可能とする開口幅が確保され、特に、落下防止金具２２の幅方向に沿った開口幅は、落下防止金具２２の幅の２倍程度の幅が確保されている。
【００２７】
そして、本体ケース５を吊り枠２０の開口部２１から上方へ持ち上げるとき、落下防止金具２２は、図５に示すように、突部２７の表面に沿って撓みながら突部２７に対し下方へ相対移動する。突部２７を乗り越えた後は、その弾性により突部２７の下方でカバーパネル２５の表面に当接する状態となる。
【００２８】
この後、本体ケース５の持ち上げを解除して自重により下降させると、図６に示すように、落下防止金具２２のストッパ部２４が係止部２６の保持孔２８の開口部に係合する。すると、本体ケース５のそれ以上の下降が阻止され、本体ケース５が天井２内に仮止めされるようになっている。
【００２９】
次に、上記のように構成された浴室暖房乾燥機４の作用を説明する。
【００３０】
この浴室暖房乾燥機４を天井に取り付けるには、まず天井２に吊り枠２０を取着する。この状態で浴室暖房乾燥機４を排気アダプタ１４側から斜めに開口部２１に挿入し、次いでカバーパネル２５側を開口部２１内に押し上げる。
【００３１】
すると、落下防止金具２２が係止部２６を乗り越えて、ストッパ部２４が係止部２６の下方に達する。
【００３２】
この状態で、浴室暖房乾燥機４を手放しても、落下防止金具２２のストッパ部２４が係止部２６の保持孔２８の開口部に係合するため、浴室暖房乾燥機４の落下が防止される。また、排気アダプタ１４側では、アダプタカバー１９付近が吊り枠２０の上面に当接して保持される。この状態では、フランジ部７と吊り枠２０との間に隙間がある状態である。
【００３３】
この状態から、浴室暖房乾燥機４を若干持ち上げてフランジ部７を吊り枠２０に当接させ、フランジ部７を吊り枠２０にネジ着すると、浴室暖房乾燥機４の天井２への取付が終了する。このとき、図２に示すように、落下防止金具２２のストッパ部２４は、係止部２６の下方において、カバーパネル２５に当接している。
【００３４】
浴室暖房乾燥機４の運転時に、図２に実線で示すように、ダンパ１３が排気位置に回動されていると、ファン１２の作動により浴室１内の空気が本体ケース５内に吸入されて、ダクト１５を介して屋外に排出される。
【００３５】
図２に鎖線で示すように、ダンパ１３が循環位置に回動されていると、ファン１２の作動により浴室１内の空気が本体ケース５内に吸入され、循環通路１６からヒータ１７及び固定グリル１８を経て吹き出し口９から吹き出される。このとき、ヒータ１７の作動温度を調整することにより、浴室１内を適宜に暖房可能であるとともに、浴室１内の空気を乾燥させることも可能である。
【００３６】
上記のような浴室暖房乾燥機４では、次に示す効果を得ることができる。
（１）浴室暖房乾燥機４を天井２内に挿入した状態で仮止めすることができる。従って、仮止め状態から僅かに持ち上げてフランジ部を吊り枠２０にネジ着することにより、浴室暖房乾燥機４を吊り枠２０に固定することができるので、浴室暖房乾燥機４を天井２に容易に取り付けることができる。
（２）落下防止金具２２で浴室暖房乾燥機４を仮止めするとき、カバーパネル２５の表面に沿って落下防止金具２２を撓ませながら、浴室暖房乾燥機４を上方へ相対移動させることができる。従って、吊り枠２０の開口部２１の寸法が若干変化しても、落下防止金具２２のストッパ部２４を係止部２６に確実に係合させることができる。
（３）保持孔２８の開口幅を落下防止金具２２の幅より十分に大きくしたので、落下防止金具２２と係止部２６に若干の位置ずれが発生しても、ストッパ部２４を保持孔２８の開口部に確実に係合させることができる。
（４）落下防止金具２２の先端部を折り曲げてストッパ部２４を形成したので、ストッパ部２４を保持孔２８の開口部に安定して保持することができるとともに、ストッパ部２４の強度を確保することができる。
（５）天井２に取付後に、ネジによる取付が外れた場合にも、浴室暖房乾燥機４がわずかに下降したとき、係止部２６に落下防止金具２２が係合するので、浴室暖房乾燥機４が浴室１内に直ちに落下することはない。
【００３７】
上記実施形態は、以下のように変更してもよい。
【００３８】
・吊り枠２０を使用せず、天井に設けられた開口部に落下防止金具を直接に取着してもよい。
【産業上の利用可能性】
【００３９】
本発明にかかる浴室暖房乾燥機は、浴室内の暖房、換気、浴室内の乾燥（たとえば、洗濯物の乾燥）に使用可能である。
【符号の説明】
【００４０】
１    浴室
２    天井
３    浴槽
４    浴室暖房乾燥機
５    本体ケース
６    フロントパネル
７    フランジ部
８    取り込み口
９    吹き出し口
１０  可動ルーバー
１１  ファンモータ
１２  ファン
１３  ダンパ
１４  排気アダプタ
１５  ダクト
１６  循環通路
１７  ヒータ
１８  固定グリル
１９  アダプタカバー
２０  吊り枠
２１  開口部
２２  落下防止金具
２３  突起
２４  ストッパ部
２５  側面（カバーパネル）
２６  係止部
２７  突部
２８  保持孔
【図１】
0006500228.tif 000002
【図２】
0006500228.tif 000003
【図３】
0006500228.tif 000004
【図４】
0006500228.tif 000005
【図５】
0006500228.tif 000006
【図６】
0006500228.tif 000007